(57)【要約】【課題】多数の機器リモコンへコンテンツ情報を配信する場合に、サーバーに大きな負荷がかかるという課題があった。【解決手段】機器の遠隔制御や遠隔モニタを行なうと伴にユーザに対して情報表示を行なう機器リモコン２において、機器リモコン２は、リモコン情報管理サーバー４以外に、少なくともひとつ以上の他の機器リモコン２と相互に通信を行うことにより、情報表示に用いるコンテンツ情報の伝播を行う。【選択図】図１
2005311573.tif 000002
【特許請求の範囲】
【請求項１】
機器の遠隔制御や遠隔モニタを行なうと伴にユーザに対して情報表示を行なう複数の機器リモコンからなる機器リモコン通信システムにおいて、前記機器リモコンは少なくともひとつ以上の他の機器リモコンと相互に通信を行うことにより、情報表示に用いるコンテンツ情報の伝播を行うことを特徴とする機器リモコン通信システム。
【請求項２】
少なくとも１台以上の機器リモコンのリモコン情報（少なくともアドレス情報やＩＤ情報を含む）を記憶するリモコン情報記憶部と、前記リモコン情報記憶部に記憶している少なくとも１台以上の機器リモコンと通信を行いコンテンツ情報を取得するコンテンツ情報取得部と、前記コンテンツ情報取得部で得たコンテンツ情報を記憶するコンテンツ情報記憶部と、少なくとも１台以上の他の機器リモコンと通信を行い前記コンテンツ情報記憶部に記憶しているコンテンツ情報を送信するコンテンツ情報サーバー部と、前記コンテンツ情報記憶部に記憶しているコンテンツ情報をユーザに対して表示する表示部を備えたことを特徴とする機器リモコン。
【請求項３】
リモコン情報記憶部に記憶しているリモコン情報を用いて少なくとも１台以上の他の機器リモコンと通信を行いリモコン情報を収集して、前記リモコン情報記憶部中のリモコン情報を更新するリモコン情報取得部と、少なくとも１台以上の他の機器リモコンと通信を行い、前記リモコン情報記憶部に記憶しているリモコン情報を送信するリモコン情報サーバー部を備えたことを特徴とする請求項２記載の機器リモコン。
【請求項４】
少なくとも１台以上の機器リモコンのリモコン情報を管理・記憶しているリモコン情報管理サーバーと通信を行ってリモコン情報を取得し、リモコン情報記憶部に記憶している情報を更新するサーバー通信部を備えたことを特徴とする請求項２または３に記載の機器リモコン。
【請求項５】
着脱可能な外部の記憶装置と接続を行い、前記記憶装置に記憶されているリモコン情報を読み出し、リモコン情報記憶部に記憶している情報を更新するリモコン情報設定部を備えたことを特徴とする請求項２〜４のいずれか１項に記載の機器リモコン。
【請求項６】
請求項２〜５のいづれか１項記載の機器リモコンの少なくとも一部をコンピュータに実現させるためのプログラム。
【発明の詳細な説明】
【技術分野】
【０００１】
本発明は、宅外や宅内の通信を介して機器の遠隔制御／遠隔モニタ、ユーザに対する情報表示を行う機器リモコンと、その通信システム、およびそのプログラムに関するものである。
【背景技術】
【０００２】
従来、この種の機器リモコン通信システムは、例えば、特許文献１のような構成が多い。図５は、前記特許文献１に記載された従来のリモコンの構成を示すものである。図５に示したリモコン１００の各部の動作を下記に列挙する。
【０００３】
通信手段１０１は、インターネットなどの通信回線と接続し表示情報の取得を行う。表示手段１０２は、通信回線から取得した情報の表示を行う。入力操作手段１０３は、機器制御や表示に関する操作をユーザから受け付ける。記憶部１０４は、通信手段１０１で得た情報を記憶する。機器操作制御手段１０５は、入力操作手段１０３で入力された内容にしたがって機器の制御を行う。情報処理制御手段１０６は、通信手段１０１、表示手段１０２、入力操作手段１０３、記憶手段１０４、機器操作制御手段１０５、それぞれの動作や情報の流れを制御する。この構成により、インターネットなどの通信回線から得た情報を表示手段１０２により表示する。
【０００４】
リモコン１００とサーバーとの関係を図６に示す。広告依頼企業１１２などのコンテンツ提供者は、メインサーバー１１１もしくはサブサーバー１１０に対して情報の配信を依頼する。その依頼に応じてオペレータはコンテンツを作成し、メインサーバー１１１、サブサーバー１１０へ登録する。登録された情報は、リモコン１００へ送信される。
【特許文献１】特開２００２−１９９４７１号公報
【発明の開示】
【発明が解決しようとする課題】
【０００５】
しかしながら、前記従来の構成では、多数のリモコンへコンテンツ情報を送信する場合に、適切にメインサーバーやサブサーバーを構成しなければ、サーバーに大きな負荷がかかるという課題を有していた。また、基本的に、複数のサーバーを設置するのはコストがかかり、さらに、コンテンツ情報の登録も複数台のサーバーにタイミング良く行う必要があり、運用も複雑になるという課題を有していた。
【課題を解決するための手段】
【０００６】
前記従来の課題を解決するために、本発明は、機器の遠隔制御や遠隔モニタを行なうと伴にユーザに対して情報表示を行なう機器リモコンにおいて、機器リモコンは少なくともひとつ以上の他の機器リモコンと相互に通信を行うことにより、情報表示に用いるコンテンツ情報の伝播を行うことを特徴とする。この構成により、サーバーへのアクセスが最小限になるため、サーバーへの負荷は小さくすることができる。
【発明の効果】
【０００７】
本発明の機器リモコン、機器リモコン通信システムおよびそのプログラムを用いることにより、以下のような特別な効果が得られる。
（１）複数の機器リモコンが相互に通信を行うことにより、コンテンツ情報を伝播していくため、サーバーが必要無い、もしくは、サーバーへの負荷を小さくできる。
（２）多数の機器リモコンへコンテンツを配信する場合でも、サーバーを多数設置する必要が無くなり、システム全体としてのコストが低減する。
（３）コンテンツの登録は、機器リモコンのひとつに行うため、登録も簡単になる。
【発明を実施するための最良の形態】
【０００８】
第１の発明は、機器の遠隔制御や遠隔モニタを行なうと伴にユーザに対して情報表示を行なう複数の機器リモコンからなる機器リモコン通信システムにおいて、機器リモコンは少なくともひとつ以上の他の機器リモコンと相互に通信を行うことにより、情報表示に用いるコンテンツ情報の伝播を行う機器リモコン通信システムである。機器リモコン同士で相互に通信を行い、コンテンツ情報を配信／伝播するので、サーバーに大きな負荷をかけずに配信を行える。
【０００９】
第２の発明は、少なくとも１台以上の機器リモコンのリモコン情報（少なくともアドレス情報、ＩＤ情報を含む）を記憶するリモコン情報記憶部と、リモコン情報記憶部に記憶している少なくとも１台以上の機器リモコンと通信を行いコンテンツ情報を取得するコンテンツ情報取得部と、コンテンツ情報取得部で得たコンテンツ情報を記憶するコンテンツ情報記憶部と、少なくとも１台以上の他の機器リモコンと通信を行い、コンテンツ情報記憶部に記憶しているコンテンツ情報を送信するコンテンツ情報サーバー部と、コンテンツ情報記憶部に記憶しているコンテンツ情報をユーザに対して表示する表示部を備えた機器リモコンである。この構成により、他の機器リモコンに対してコンテンツ情報の送受信と、コンテンツ情報の表示が可能になる。
【００１０】
第３の発明は、第２の発明においてリモコン情報記憶部に記憶しているリモコン情報（少なくともアドレス情報、ＩＤ情報を含む）を用いて少なくとも１台以上の他の機器リモコンと通信を行い、新しいリモコン情報を収集してリモコン情報記憶部中のリモコン情報を更新するリモコン情報取得部と、少なくとも１台以上の他の機器リモコンと通信を行い、リモコン情報記憶部に記憶しているリモコン情報を送信するリモコン情報サーバー部を備えたことを特徴とする。これにより、他の機器リモコンに対してリモコン情報の送受信が可能になり、機器リモコンの新規設置、撤去などの変化があっても、通信によりリモコン情報を常に最新の状態に保つことができる。
【００１１】
第４の発明は、第２〜３の発明において、少なくとも１台以上の機器リモコンに関してリモコン情報（少なくともアドレス情報、ＩＤ情報を含む）を管理・記憶しているリモコン情報管理サーバーと通信を行い、リモコン情報記憶部に記憶している情報を更新するサーバー通信部を備えたことを特徴とする。これにより、設置時などに適切なリモコン情報の初期値をリモコン情報記憶部に記憶させることができる。
【００１２】
第５の発明は、第２〜４の発明において、着脱可能な外部の記憶装置と接続を行い、前記記憶装置に記憶されているリモコン情報（少なくともアドレス情報、ＩＤ情報を含む）を読み出し、リモコン情報記憶部に記憶している情報を更新するリモコン情報設定部を備えたことを特徴とする。これにより、サーバーと通信すること無く、設置時などに適切なリモコン情報の初期値をリモコン情報記憶部に記憶させることができる。したがって、設置時に通信回線が開通してない場合などでも、適切に設置を行うことができる。
【００１３】
第６の発明は、第２〜５の発明のいづれか１項記載の機器リモコンの少なくとも一部をコンピュータに実現させるためのプログラムである。プログラムであるので電気・情報機器、コンピュータ、サーバー等のハードリソースを協働させて用いて本発明の機器リモコンの一部あるいは全部を容易に実現することができる。また、記録媒体に記録したり通信回線を用いてプログラムを配信したりすることでプログラムの配布やインストール作業が簡単にできる。
【００１４】
以下、本発明の実施の形態について、図面を参照しながら説明する。なお、本実施の形態によって本発明が限定されるものではない。
【００１５】
（実施の形態１）
図１は本発明の全体構成を示した図である。図１において、機器１はユーザの宅内に設置された一般的な機器や装置である。例えば、（ａ）エアコン、換気扇、送風機、ファンヒータなどの空調機器、（ｂ）給湯器、床下暖房機、ガスメータ、ドアホン、センサー機器（ガス漏れ警報機や、侵入センサなど）などの設備機器、（ｃ）洗濯機、電子レンジなどの白物家電機器などである（ビデオ、テレビ、パソコンなどのＡＶ家電機器でも良い）。
【００１６】
機器リモコン２は、ユーザからの操作指示に基づいて機器１と通信を行い、機器１の制御／モニタを行うと伴に、宅内／宅外通信によりさまざまな情報を取得して表示する機器である。なお、機器１と機器リモコン２の間の通信は、有線（電灯線、ツイストペア線など）による通信でも良いし、無線通信（赤外線、小電力無線、無線ＬＡＮなど）でも良い。なお、図１では無線通信の例を示している。
【００１７】
宅内上位通信装置３は、機器リモコン２をインターネットなどの宅外通信網と接続するためのモデムやルータ等の機器である。具体的な構成としては、ＡＤＳＬルータ、ＣＡＴＶモデム、ＩＳＤＮダイアルアップルータ、光ファイバーの回線終端装置、メディアコンバータ、ホームＰＮＡ装置、ルータ、スイッチングハブ等である。なお、図では宅内上位通信装置３は１つの構成のように図示しているが、例えばスプリッタとＡＤＳＬルータのように、構成が複数台に分かれていても良い。機器リモコン２と宅内上位通信装置３は、ＩＥＥＥ  ８０２．３規格に基づく有線のＬＡＮで接続されており、ＴＣＰ／ＩＰプロトコルに基づく通信を行う（なお、ＩＥＥＥ８０２．１１に基づく無線のＬＡＮ接続や、他の通信方法、他の通信回線でもかまわない）。
【００１８】
リモコン情報管理サーバー４は、少なくとも１台以上の機器リモコン２のリモコン情報を記憶・管理しているサーバーである。ここでのリモコン情報とは、各機器リモコン２のアドレス情報（ＩＰアドレス、ポート番号など）やＩＤ情報（機器リモコンの機器ＩＤ、ユーザＩＤなど）のことを示す。またこのほかに、リモコン種別の情報や駆動電源種別の情報などリモコンやその機器に関する情報を含めても良い。
【００１９】
機器リモコン２は、起動時あるいは定期通信時に、宅内上位通信装置３を介して他の機器リモコン２（もしくはリモコン情報管理サーバー４）に接続してリモコン情報を取得する。機器リモコン２は取得したリモコン情報に基づいて、他の機器リモコンにアクセスし、表示すべきコンテンツ情報を取得する。
【００２０】
コンテンツ入力部５は、機器リモコン２で表示させるコンテンツ情報を入力するための装置である。これは、コンテンツ作成者（オペレータ）が利用するものである。例えば、集合住宅で、「掲示板」「回覧板」情報などを入力する場合は、集合住宅の管理組合などにコンテンツ入力部５を設置し、管理人がオペレータとしてこの端末を操作することになる。
【００２１】
ここでのコンテンツ情報とは、機器リモコンに関連した暮らしに関係のある情報として、機器などのメンテナンス情報や、掲示板、回覧板などの地域情報が主であるが、広告情報、天気予報、ニュースなどの一般情報や、占いなどのエンターテイメント情報などを含めても良い。
【００２２】
図２は、機器リモコン２の詳細な構成を示したものである。通信部１０は、ＩＥＥＥ８０２．３に基づくＬＡＮ通信を利用して宅内上位通信装置３と通信を行うことにより、インターネット等の公衆通信網を介して、他の機器リモコン２やリモコン情報管理サーバー４とデータの送受信を行う通信装置である。
【００２３】
リモコン情報取得部１１は、通信部１０を介して他の機器リモコン２と通信を行い、他の機器リモコン２が持つリモコン情報（各機器リモコン２のアドレス情報（ＩＰアドレス、ポート番号など）およびＩＤ情報（機器リモコンの機器ＩＤ、ユーザＩＤなど））を取得する通信部である。なお、ＩＰアドレスは、グローバルアドレスでもプライベートアドレスでも良いが、他の機器リモコン２からアクセス可能なもので無ければならない。
【００２４】
リモコン情報記憶部１２は、他の機器リモコン２および自分自身の機器リモコン２のリモコン情報を記憶・管理する。リモコン情報サーバー部１３は、他の機器リモコン２と通信部１０を介して通信を行い、他の機器リモコン２からの情報リクエストを受け付け、リモコン情報記憶部１２に記憶されているリモコン情報を返信するサーバー部である。
【００２５】
サーバー通信部１４は、通信部１０を介してリモコン情報管理サーバー４と接続し、リモコン情報の取得を行う。コンテンツ情報取得部１５は、通信部１０を介して他の機器リモコン２と通信を行い、機器リモコン２で表示するコンテンツ情報を取得する。
【００２６】
コンテンツ情報記憶部１６は、コンテンツ情報取得部１５で取得したコンテンツ情報の記憶・管理を行う。コンテンツ情報サーバー部１７は、通信部１０を介して他の機器リモコン２と通信を行い、他の機器リモコン２からの情報リクエストを受け付け、コンテンツ情報記憶部１６に格納されているコンテンツ情報を返信する。
【００２７】
表示部１８は、制御部２１にしたがって、ユーザの入力操作を促すガイド画面や機器状態を示す状態画面などを表示したり、ＷＥＢブラウザ部２０で作成される画面を表示するための表示デバイスである。具体的には、液晶ディスプレイ、ＥＬディスプレイ、ＣＲＴ、ＬＥＤアレイなどの表示デバイスと、その制御回路で構成される。
【００２８】
ユーザ入力部１９は、ユーザからの機器制御に関する入力操作や、コンテンツに対する指示の入力操作を受け付ける。ユーザ入力部１９は、基本的には、押しボタン、セレクタなどのスイッチ類で構成されている。また、表示部１８と合体させた構成としてタッチパネルなどを利用しても良い。
【００２９】
ＷＥＢブラウザ部２０は、ユーザ入力部１９で入力されたユーザからの操作指示にしたがって、コンテンツ情報記憶部１６に記憶されているコンテンツ情報（ＨＴＭＬ、ＸＭＬなど）を解釈して表示部１８に表示する。
【００３０】
制御部２１は、機器リモコン２を構成する各部の動作タイミングや情報の流れなどの制御を行う。機器制御部２２は、機器１と通信を行い、ユーザ入力部１９で入力された指示どおりに機器１の制御やモニタを行う。
【００３１】
以上のように構成された機器リモコン２について、各部の動作を図３のフローチャートを用いて説明する。図３のフローチャートは、例として、機器リモコン２の起動時の動作を示している。なお、これと同様の動作を、定期通信時やユーザのコンテンツ情報参照時に行っても良い。
【００３２】
（ステップＡ１）制御部２１は、サーバー通信部１４を起動する。サーバー通信部１４は通信部１０を制御して、リモコン情報管理サーバー４へ接続する。接続後、サーバー通信部１４は、リモコン情報（アドレス情報、ＩＤ情報）をリモコン情報管理サーバー４から取得し、その情報をリモコン情報記憶部１２に記憶させる。リモコン情報は、リモコン情報記憶部１２において、更新日時と伴に記憶・管理されている。リモコン情報記憶部１２にすでに情報が格納されている場合は、この更新日時を基に情報を更新する。なお、リモコン情報管理サーバー４のアドレスやＵＲＬはサーバー通信部１４にあらかじめ記憶させておく。
【００３３】
（ステップＡ２）リモコン情報の取得後、制御部２１はリモコン情報サーバー部１３とコンテンツ情報サーバー部１７の動作を開始させる。リモコン情報サーバー部１３は、他の機器リモコン２からのリモコン情報に関する取得要求を受け付け、リモコン情報記憶部１２に記憶されている情報を応答として返信する動作を行う。コンテンツ情報サーバー部１７も同様であり、他の機器リモコン２からのコンテンツ情報に関する取得要求を受け付け、コンテンツ情報記憶部１６に記憶している情報を応答として返信する動作を行う。
【００３４】
（ステップＡ３）制御部２１は、リモコン情報取得部１１を起動させる。リモコン情報取得部１１は、リモコン情報記憶部１２に格納されてるリモコン情報から、自分以外の他の機器リモコン２のアドレス情報を所定数だけ取得し、順にアクセスを行う。リモコン情報取得部１１は、他の機器リモコンのリモコン情報サーバー部１３にリモコン情報の取得要求を行い、リモコン情報もしくはリモコン情報のインデックス情報を取得する。ここでのインデックス情報とは、ＩＤ情報と更新日時だけの情報である。
【００３５】
なお、ここでは、リモコン情報取得部１１は、他の機器リモコン２に順に通信を行うと説明したが、ランダムに所定数だけ通信する機器リモコン２を選択したり、過去の通信状況から接続する機器リモコン２を選択するようにしても良い。
【００３６】
（ステップＡ４）リモコン情報取得部１１は、取得したリモコン情報と自分のリモコン情報記憶部１２に記憶している情報を比較して、新しい情報があるかどうかを調べる。具体的には取得した機器リモコンに対応するＩＤ情報と更新日時を、リモコン情報記憶部１２に記憶しているものと、リモコン情報取得部１１で取得したもので比較を行う。
【００３７】
（ステップＡ５）リモコン情報取得部１１は、上記した方法で新しいリモコン情報があるかどうかの判断を行う。新しい情報があればステップＡ６へ進み、そうでなければ、ステップＡ７へ進む。
【００３８】
（ステップＡ６）リモコン情報取得部１１は、取得した情報の中に新しい情報が含まれると判断し、リモコン情報記憶部１２の情報を更新する。例えば、同じＩＤを持つ機器リモコン２に関する情報で、更新日時が新しい情報が取得されていれば、古い情報は新しい情報に置き換えられる。また、リモコン情報記憶部１２に無い機器リモコン２に関する情報であれば、それは新たな情報として追加される。
【００３９】
（ステップＡ７）制御部２１はリモコン情報の更新を終了し、次に、コンテンツ情報取得部１５を起動させる。コンテンツ情報取得部１５は、リモコン情報記憶部１２に記憶されたリモコン情報を用いて、他の機器リモコン２へ通信を行う。コンテンツ情報取得部１５は、他の機器リモコン２のコンテンツ情報サーバー部１７へ順に通信を行い、コンテンツ情報を取得する。ここでのコンテンツ情報は、ＨＴＭＬやＸＭＬなどのマークアップ言語で記載されたファイルや、ＪＰＥＧ、ＰＮＧなどの画像ファイル等で構成されており、ＷＥＢブラウザ部２０で表示できる形態のものである。なお、コンテンツ情報としてスクリプト言語で書かれたプログラムファイルや音声情報を含むファイルを追加しても良い。これらも、それぞれファイル名と更新日時で管理されている。インデックス情報には、ファイル名と更新日時だけが記載されている。
【００４０】
なお、ここでは、コンテンツ情報取得部１５は、他の機器リモコン２に順に通信を行うと説明したが、ランダムに所定数だけ通信する機器リモコン２を選択したり、過去の通信状況から接続する機器リモコン２を選択するようにしても良い。
【００４１】
（ステップＡ８）コンテンツ情報取得部１５は、取得したインデックス情報もしくは、コンテンツ本体の情報と、コンテンツ情報記憶部１６に格納された情報を比較して、新しい情報があるかどうかを調べる。具体的には取得したファイル名とその更新日時を、コンテンツ情報記憶部１６に記憶しているものと、コンテンツ情報取得部１５で取得したもので比較を行う。
【００４２】
（ステップＡ９）コンテンツ情報取得部１５は、上記した方法で新しいコンテンツ情報があるかどうかの判断を行う。新しい情報があればステップＡ１０へ進み、そうでなければ、ステップＡ１１へ進む。
【００４３】
（ステップＡ１０）コンテンツ情報取得部１５は、取得した情報の中に新しい情報が含まれると判断し、コンテンツ情報記憶部１６の情報を更新する。例えば、同じファイル名を持つコンテンツ情報で、更新日時が新しい情報を取得したのであれば、古い情報は新しい情報に置き換えられる。また、コンテンツ情報記憶部１６に無いファイルであれば、それは新たな情報として追加される。
【００４４】
（ステップＡ１１）ユーザが機器リモコン２のユーザ入力部１９を操作し、コンテンツ表示動作の開始を指示した場合、ＷＥＢブラウザ部２０はコンテンツ情報記憶部１６中のコンテンツ情報（ＨＴＭＬファイルや画像ファイルなど）を取得し、解釈して表示部１８に表示する。このステップ終了後、もしくは、ユーザからコンテンツ表示指示が無い場合は、ステップＡ３に戻る。ステップＡ３〜Ａ１１の動作を所定のタイミングで繰り返すことにより、機器リモコン２は、リモコン情報を更新しつつ、さまざまな他の機器リモコン２に接続してコンテンツ情報を取得し、それを表示部１８へ表示することができる。
【００４５】
なお、機器リモコン２で表示させるコンテンツは、コンテンツ入力部５により機器リモコンの１つに入力される。
【００４６】
以上のように、図３のフローチャートに示した動作を、所定のタイミング（例えば１日１回、深夜時間など）ですべての機器リモコン２が行うことにより、機器リモコン２は相互に通信を行い、コンテンツ情報を伝播することができる。これにより、サーバーへのアクセスは最小限ですみ、機器リモコンの数が増えても、サーバーを増強する必要が無いというメリットが生ずる。
【００４７】
また、この方法では、通信がひとつの機器リモコンに集中することもないので、負荷が分散され、通信待ち時間が減少する。結果的に、コンテンツ情報を速く伝播することも可能である。
【００４８】
なお、図２中のサーバー通信部１４の代わりに、リモコン情報設定部３０を用いても良い（図４参照）。リモコン情報設定部３０は、着脱可能な外部記憶装置（ＩＣカード、ＰＣカード、メモリカード、磁気カードなど）と接続し、その内容を読み取り、リモコン情報記憶部１２に記憶させる動作を行う。外部記憶装置内にはリモコン情報を記憶させる。
ステップＡ１で、サーバー通信部１４がリモコン情報管理サーバー４へ接続してリモコン情報を取得する代わりに、リモコン情報設定部３０が外部記憶装置内からリモコン情報を取得する。これにより、図３と同様な動作を行うことができ、同様の効果を得ることができる。
【００４９】
また、図４に示すように、リモコン情報設定部３０を主に用い、リモコン情報サーバー部１３、リモコン情報取得部１１を無くしても良い。例えば、集合住宅に本発明の機器リモコン２を一括導入する場合など、どの住戸にどの機器リモコンが導入され、どのＩＰアドレスが割り当てられるかなどが、すべて設置前にわかる場合がある。この場合は、外部記憶装置に、設置する機器リモコン２のリモコン情報をあらかじめ書きこむ。この外部記憶装置をリモコン情報設定部３０に読ませることにより、リモコン情報記憶部１２に集合住宅内のすべての機器リモコン２のリモコン情報を記憶させることができ、リモコン情報を通信により更新しなくとも、コンテンツ情報を相互に通信することが可能である。この場合、サーバーが必要なくなるので、システムの導入コストはさらに小さくなる。
【００５０】
なお、本実施の形態で説明した部は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００５１】
以上のように、本発明にかかる機器リモコン、機器リモコン通信システムおよびそのプログラムでは、機器リモコンで表示するコンテンツを、サーバーに負荷をかけず効率よく配信可能である。これは、家電機器や設備機器のリモコンだけでなく、ユーザに対する情報提供が必要な各種機器のリモコンなどにも適用できる。
【図面の簡単な説明】
【００５２】
【図１】本発明の実施の形態１における全体構成を示す図
【図２】本発明の実施の形態１における機器リモコンの構成図
【図３】本発明の実施の形態１の動作を示すフローチャート
【図４】本発明の実施の形態１においてリモコン情報設定部を用いた図
【図５】従来の機器リモコンの構成を示す図
【図６】従来例の全体構成を示す図
【符号の説明】
【００５３】
１  機器
２  機器リモコン
３  宅内上位通信装置
４  リモコン情報管理サーバー
５  コンテンツ入力部
１０  通信部
１１  リモコン情報取得部
１２  リモコン情報記憶部
１３  リモコン情報サーバー部
１４  サーバー通信部
１５  コンテンツ情報取得部
１６  コンテンツ情報記憶部
１７  コンテンツ情報サーバー部
１８  表示部
１９  ユーザ入力部
２０  ＷＥＢブラウザ部
２１  制御部
２２  機器制御部
３０  リモコン情報設定部
【図１】
2005311573.tif 000003
【図２】
2005311573.tif 000004
【図３】
2005311573.tif 000005
【図４】
2005311573.tif 000006
【図５】
2005311573.tif 000007
【図６】
2005311573.tif 000008